(57)【特許請求の範囲】
【請求項１】
避難室を内部に備えており、
前記避難室の出入口が当該避難室の床版の一部に形成された、避難用建物であって、
前記避難室と外気とが、前記出入口のみで連通しており、
前記出入口には、開閉扉が形成されており、
前記開閉扉は、前記出入口の一方の端部に設けられたヒンジを介して前記床版に取付けられているとともに、開扉時にスロープを形成することを特徴とする、避難用建物。
【請求項２】
避難室とエントランス室とを内部に備えており、
前記避難室と前記エントランス室との境界部に形成された側壁に開口部が形成されていて、
前記エントランス室の前記避難室と反対側の側壁に出入口が形成された、避難用建物であって、
前記避難室と外気とが、前記出入口のみで連通しており、
前記エントランス室の床面の一部が前記出入口の上端よりも高くなるように盛り上がっていることを特徴とする、避難用建物。
【発明の詳細な説明】
【技術分野】
【０００１】
本発明は、避難用建物に関する。
【背景技術】
【０００２】
洪水、津波等の災害時や高潮等により水位が大幅に上昇すると、道路上や駐車場内において、自動車が水没するおそれがある。
【０００３】
駐車場の冠水を防ぐ方法として、例えば特許文献１には、ピット内に昇降可能に設けられた自動車積載部に浮き部材を設けておくことで、ピット内に水が浸入した場合に自動車積載部が浮き上がるように構成したものが開示されている。
【０００４】
また、特許文献２には、建物の入口部に袋体を設けておき、この袋体を膨張させることで、建物内への冠水時等の水の流入を防止する方法が開示されている。
【０００５】
ところが、前記従来の方法は、集中豪雨等により地下部分に流入する水を主に対象としているものであって、建物全体を飲み込むような大規模な洪水や津波から車両等を守ることはできない。
【先行技術文献】
【特許文献】
【０００６】
【特許文献１】特開平９−２０３２３０号公報
【特許文献２】特開２００３−１１９７５５号公報
【発明の概要】
【発明が解決しようとする課題】
【０００７】
大規模な洪水や津波から自動車等の水没を免れるためには、高台や頑丈な立体駐車場等に自動車を移動させる必要があるが、避難する自動車で道路が混雑すると、移動そのものが困難になるおそれがある。
また、高台等に避難させた場合であっても、想定以上の大規模な洪水や津波が発生した場合には、水没するおそれがある。
【０００８】
また、大規模な洪水や津波が発生した際には、人も高台や高層建物などに避難する必要があるが、避難に手間取るおそれがある。
【０００９】
本発明は、前記の問題点を解決するものであり、洪水や津波等が発生した際の水位に関わらず、安全な避難を可能とした、避難用建物を提案することを課題とする。
【課題を解決するための手段】
【００１０】
前記課題を解決するために、第一の発明の避難用建物は、避難室を内部に備えており、前記避難室の出入口が当該避難室の床版の一部に形成された、避難用建物であって、前記避難室と外気とが、前記出入口のみで連通しており、前記出入口には、開閉扉が形成されており、前記開閉扉は、前記出入口の一方の端部に設けられたヒンジを介して前記床版に取付けられているとともに、開扉時にスロープを形成することを特徴としている。
【００１１】
かかる避難用建物によれば、避難室が空気溜まりとなるため、洪水や津波などにより大幅に水位が上昇した場合であっても、空気の圧力により避難室内の水位の上昇が抑制され、内部の自動車が水没することを防止できる。
【００１２】
前記避難用建物は、前記避難室が上階に配設されていて、前記避難室の床面の一部に前記出入口が形成されていて、前記車庫用建物の出入口に開閉扉が形成されており、前記開閉扉が開扉時にスロープを形成しているため、開閉扉により密閉空間を形成することが可能となり、車庫室への水の流入を防止することができる。また、開閉扉がスロープを形成することで、出入のための進入路の形成を省略あるいは簡略化することができる。
【００１３】
また、前記開閉扉が洪水時や津波時の水の浮力により前記出入口を遮蔽するように構成されていれば、水位の上昇に伴い自動的に出入口を遮蔽するため、安全性がより高まる。
【００１４】
また、第二の発明の避難用建物は、避難室とエントランス室とを内部に備えており、前記避難室と前記エントランス室との境界部に形成された側壁に開口部が形成されていて、前記エントランス室の前記避難室と反対側の側壁に出入口が形成された、避難用建物であって、前記避難室と外気とが、前記出入口のみで連通しており、前記エントランス室の床面の一部が前記出入口の上端よりも高くなるように盛り上がっていることを特徴としている。
【発明の効果】
【００１５】
本発明の避難用建物によれば、洪水や津波等が発生した際の水位に関わらず、安全に避難することが可能となる。
【図面の簡単な説明】
【００１６】
【図１】第一の実施の形態に係る避難用建物の概要を示す斜視図である。
【図２】図１に示す避難用建物の断面図である。
【図３】第二の実施の形態に係る避難用建物の概要を示す断面図である。
【図４】第三の実施の形態に係る避難用建物の概要を示す斜視図である。
【図５】図４に示す避難用建物の断面図である。
【発明を実施するための形態】
【００１７】
以下、本発明に係る実施の形態について図面を参照して説明する。
第一の実施の形態の車庫用建物１は、鉄筋コンクリート造であって、図１に示すように、車庫室（避難室）２と、車庫用建物１の四隅に配設された柱３，３，…とを備えている。
【００１８】
車庫室２は、柱３，３，…により支持された状態で、地上面よりも高い位置に形成されている。つまり、車庫用建物１は、車庫室２の直下に開放空間４が形成された、いわゆる高床式構造により構成されている。
【００１９】
開放空間４は、自動車の進入が可能な高さを有しており、また、車庫室２への自動車の出入に使用するスロープ部材１１の配置が可能なスペースが確保されている。
【００２０】
車庫室２は、図２に示すように、天井版５と床版（床面）６と側壁７，７，…により全体が覆われている。すなわち、車庫室２の上面は天井版５で覆われており、車庫室２の下面は床版６で覆われており、車庫室２の側面は側壁７，７，…で覆われている。
【００２１】
床版６には、床版６を貫通する開口部である出入口８が形成されている。また、出入口８には、開閉扉９が形成されている。
一方、天井版５および側壁７，７，…には開口部は形成されていない。
つまり、車庫室２は、出入口８以外は密閉された空間であり、出入口８のみで外気（室外）と連通している。
【００２２】
ここで、出入口８は、車庫用建物（避難用建物）１の内部と外部とをつなぐ開口である。本実施形態では、出入口８を、床版６を貫通するように形成している。つまり、避難室（車庫室）２の床面（床版）６の高さは、出入口８の上端の高さと一致している。
【００２３】
開閉扉９は、出入口８の平面形状と同等以上の平面形状を有した版状部材により構成されている。また、本実施形態の開閉扉９は、自動車の走行に耐え得る強度を備えている。
【００２４】
また、開閉扉９には、図示しないフロートが取り付けられており、水に浮くように構成されている。なお、開閉扉９が水よりも比重が小さい材料により構成されている場合には、フロートは省略してもよい。
【００２５】
開閉扉９の一端は、出入口８の一方の端部に設けられたヒンジ１０を介して床版６に取り付けられている。
つまり、開閉扉９は、ヒンジ１０により横軸を中心とした回転（他端側が上下動する回転）が可能に取り付けられている。
【００２６】
開閉扉９は、回転することで出入口８を開閉するとともに、開扉時には、自動車の走路としてのスロープを形成する。
【００２７】
なお、開閉扉９は、水の流れに対して上流側が床版６に取り付けられているのが望ましい。例えば、津波が予想される地域では、出入口８の海側の開口縁部に開閉扉９を取り付けるものとする。
こうすれば、水の流れにより、開閉扉９の上昇（開閉扉９による出入口８の遮蔽）が妨げられることがない。
【００２８】
本実施形態では、車庫用建物１の四隅に柱３，３，…が配設したが、柱３の配置は限定されない。また、柱３の断面形状も限定されるものではなく、適宜設定すればよい。
【００２９】
本実施形態では、柱３は、基礎（図示省略）に立設されている。
なお、車庫用建物１は、津波による衝撃、水流による洗掘、水位上昇で生じる浮力による引きに抜き力等を考慮して、一般の建物より頑強な構造であることが望ましい。また、車庫用建物１の基礎構造は限定されるものではなく、ベタ基礎、布基礎や独立基礎により構成してもよい。また、基礎は杭基礎であってもよい。
【００３０】
車庫室２からの自動車の出入は、開閉扉９により出入口８を開口させた状態で、開閉扉９を自動車の走行用のスロープとして利用する。
本実施形態では、開閉扉９の他方の端部にスロープ部材１１を配設するが、地表面から床版６までの高さに対して、開閉扉９がスロープとして十分な長さを備えている場合には、開閉扉９を直接地表面に設置させることで、スロープ部材１１を省略してもよい。
【００３１】
本実施形態の車庫用建物１によれば、車庫室２には、下面（床版６）に出入口８が形成されているのみで、それ以外は密閉されているため、洪水や津波により水位が大幅に上昇した場合であっても、気圧により車庫室２内の水位の上昇が抑制されて、内部の自動車の水没を防ぐことができる。
【００３２】
また、出入口８を開閉扉９により遮蔽すれば、車庫室２が密閉空間となり、内部への水の流入を防止できる。そのため、車庫用建物１が水没したとしても、車庫室２の内部が水没することはなく、自動車が水没することもない。
【００３３】
開閉扉９にフロートが取り付けられているため、水位の上昇に伴い、開閉扉９が上昇し、出入口８が自動的に遮蔽される。そのため、緊急時に開閉扉９を操作する余裕がない場合であっても、出入口８からの水の浸入を防ぐことができる。また、開閉扉９の操作を必要としないため、洪水や津波等の緊急時であっても、ギリギリまで出入口８を開口させておくことができる。
【００３４】
また、水位が下がった後は、開閉扉９が自動的に下降してスロープとして機能するため、緊急車両等を直ちに出動させることができる。
【００３５】
なお、前記実施形態では、開閉扉９を開扉時にスロープとして利用する場合について説明したが、地上から出入口８までのスロープを形成するスロープ部材を配設する場合等には、開閉扉９をスロープとして利用する必要はない。
また、開閉扉９が水に対する浮力により出入口８を遮蔽する構成としたが、開閉扉の開閉手段が限定されるものではなく、例えば、手動により遮蔽してもよい。
【００３６】
また、車庫室２への自動車の出入は、スロープを走行させる場合に限定されるものではなく、例えば、昇降手段を介して機械的に自動車を上昇させるものとしてもよい。
【００３７】
また、開閉扉９の床版６への取り付け構造は限定されるものではない。
また、開閉扉９に代えて、スライド式の扉を出入口８に設置してもよい。
【００３８】
車庫室２の下方の開放空間の高さは、自動車の進入が可能の高さを有していれば限定されるものではない。
【００３９】
第二の実施の形態の車庫用建物１は、鉄筋コンクリート造であって、図３に示すように、内部に車庫室（避難室）２と、倉庫室１２とを備えている。
車庫室２は上階（２階）に形成されていて、倉庫室１２は下階（１階）に形成されている。
【００４０】
車庫室２は、天井版５と床版（床面）６と側壁７，７，…により全体が覆われている。すなわち、車庫室２の上面は天井版５で覆われており、車庫室２の下面は床版６で覆われており、車庫室２の側面は側壁７，７，…で覆われている。
【００４１】
床版６には、床版６を貫通する開口部１３が２箇所形成されている。一方の開口部１３には、出入口８につながるスロープ１４が形成されており、他方の開口部１３には、倉庫室１２につながる階段１５が形成されている。
【００４２】
一方、車庫室２の天井版５および側壁７，７，…には開口部は形成されていない。
つまり、車庫室２は、開口部１３，１３以外は密閉された空間である。
【００４３】
ここで、出入口８は、車庫用建物（避難用建物）１の内部と外部とをつなぐ開口である。本実施形態では、出入口８を、車庫用建物１の側壁７の下部を貫通するように形成している。
なお、出入口８には、必要に応じて扉を形成してもよい。
【００４４】
スロープ１４は、出入口８から床版６につながる走路であって、その頂１４ａが床版６の高さとなるように形成されている。
そして、車庫室２の床版６の高さは、出入口８の上端８ａよりも高くなるように形成されている。
【００４５】
倉庫室１２は、床版（床面）６と側壁７，７，…とスロープ１４と基礎１６とにより全体が覆われている。すなわち、倉庫室１２の上面は車庫室２の床版６とスロープ１４で覆われており、倉庫室１２の下面は基礎１６で覆われており、倉庫室１２の側面は側壁７，７，…で覆われている
そして、倉庫室１２は、階段１５を介して上階の車庫室２と連通している以外は、密閉された空間である。
つまり、車庫室２および倉庫室１２は、外気と出入口８のみで連通している。
【００４６】
本実施形態では、基礎１６により、倉庫室１２の下端を覆うものとしたが、床版により倉庫室１２の下端を覆ってもよい。
【００４７】
本実施形態の車庫用建物１によれば、車庫室２および倉庫室１２は、出入口８以外は密閉されているため、洪水や津波により水位が大幅に上昇した場合であっても、気圧により車庫室２および倉庫室１２内への水の進入が抑制されて、内部の水没を防ぐことができる。
また、出入口８から水が浸入したとしても、スロープ１４により水の浸入が抑制される。
【００４８】
第三の実施の形態の車庫用建物１は、鉄筋コンクリート造であって、図４に示すように、内部に車庫室（避難室）２と、エントランス室１７とを備えている。
【００４９】
車庫室２は、天井版５と床版（床面）６と側壁７，７，…により全体が覆われている。すなわち、車庫室２の上面は天井版５で覆われており、車庫室２の下面は床版６で覆われており、車庫室２の側面は側壁７，７，…で覆われている。
【００５０】
車庫室２とエントランス室１７との境界部に形成された側壁７には、開口部１３が形成されている。
車庫室２は、この開口部１３を介してエントランス室１７と連通されている。
【００５１】
一方、車庫室２の天井版５、床面６およびその他の側壁７，７，…には開口部は形成されていない。
つまり、車庫室２は、開口部１３以外は密閉された空間である。
【００５２】
エントランス室１７は、天井版５と床版（床面）６と側壁７，７，…により全体が覆われている。すなわち、エントランス室１７の上面は天井版５で覆われており、エントランス室１７の下面は床版６で覆われており、エントランス室１７の側面は側壁７，７，…で覆われている。
本実施形態では、エントランス室１７の天井版５が車庫室２の天井版５よりも高く形成されているが、両天井版５，５は、同じ高さに形成されていてもよく、天井版５の高さは限定されるものではない。
【００５３】
エントランス室１７の車庫室２と反対側の側壁７の下部には、出入口８が形成されている。
エントランス室１７は、出入口８のみを介して外気と連通されている。したがって、車庫室２は、この出入口８のみを介して外気と連通されている。
なお、出入口８には、必要に応じて扉を形成してもよい。
【００５４】
エントランス室１７には、出入口８から開口部１３までの間に床面６が凸状に盛り上がるスロープ１４が形成されており、その頂は、出入口８の上端８ａよりも高くなるように形成されている。
【００５５】
本実施形態の車庫用建物１によれば、内部（車庫室２およびエントランス室１７）は、出入口８以外は密閉されているため、洪水や津波により水位が大幅に上昇した場合であっても、気圧により内部への水の進入が抑制されて、内部の水没を防ぐことができる。
【００５６】
また、出入口８から水が浸入したとしても、スロープ１４により水の浸入が抑制される。
【００５７】
以上、本発明について、好適な実施形態について説明した。しかし、本発明は、前述の実施形態に限られず、前記の各構成要素については、本発明の趣旨を逸脱しない範囲で、適宜変更が可能である。
【００５８】
前記各実施形態では、自動車を水没から守る車庫用建物について説明したが、車庫室を避難室として、人や家畜等の避難用建物として使用してもよい。
【符号の説明】
【００５９】
１      車庫用建物（避難用建物）
２      車庫室（避難室）
６      床版（床面）
８      出入口
８ａ    出入口の上端
９      開閉扉
１４    スロープ
１４ａ  スロープの頂
【図１】
0005746948.tif 000002
【図２】
0005746948.tif 000003
【図３】
0005746948.tif 000004
【図４】
0005746948.tif 000005
【図５】
0005746948.tif 000006